(57)【要約】【課題】マルチストリームが記録された情報貯蔵媒体、その記録装置、その記録方法、その再生装置、及びその再生方法を提供する。【解決手段】オーディオデータ及び／またはビデオデータを含むメインデータを読出し、前記メインデータと別のビットストリームで記録され、前記メインデータと同期して再生されるためのサブデータを読出す読出部と、前記読出部により読出されたメインデータ及びサブデータを多重化する多重化部とを含むことを特徴とする。これにより、複数のビットストリームを同時に読出して再生しうる。【選択図】図４
2006244700.tif 000002
【特許請求の範囲】
【請求項１】
オーディオデータ及び／またはビデオデータを含むメインデータ及び前記メインデータと同期され再生されるためのサブデータを記録し、前記メインデータと前記サブデータと同期され再生されうるように相関関係を定義するナビゲーション情報を記録する記録部と、
前記ナビゲーション情報を生成して前記記録部に提供する制御部とを備えることを特徴とする記録装置。
【発明の詳細な説明】
【技術分野】
【０００１】
本発明はマルチストリームの記録／再生分野に係り、特にマルチメディアサービスを提供するためのマルチストリームが記録された情報貯蔵媒体、その記録装置、その記録方法、その再生装置、及びその再生方法に関する。
【背景技術】
【０００２】
従来のマルチメディアデータは、マルチメディアを構成するビデオデータ及び／またはオーディオデータ（及び／またはテキストなどの他のデータ）が多重化されたビットストリームで提供されてきた。マルチメディアデータが記録された情報貯蔵媒体にはマルチメディアを構成する各種のデータが多重化された１つのビットストリームで記録されている。また、情報貯蔵媒体にマルチメディアデータを記録するための記録装置は、マルチメディアデータを記録するに当たって構成要素である各種のデータが多重化された１つのビットストリームで記録する。これにより、マルチメディアデータを再生するための再生装置は１つのビットストリームを読出して再生する機能だけを具備している。
【０００３】
したがって、多重化して記録されたビットストリームに含まれた一部のデータを入替えようとする場合、多重化されたビットストリームを読出してから所望の部分を新たなデータに入替えた後、再記録しなければならない。マルチメディアコンテンツの１つとして映画を例と挙げると、使用者が映画に含まれた英語字幕を日本語字幕に変えたい場合、映画が記録されたビットストリームを読出し、ここに含まれた英語字幕データを日本語字幕データに入替えてから再記録しなければならない。さらに、日本語字幕を再び英語字幕に復元しようとする場合、英語字幕データを別にバックアップしておいて日本語字幕に入替えた手順と同じ手順を踏んで復元しなければならない。
【０００４】
既に記録された映画に字幕を入れようとする場合には、映画が記録されたビットストリームを読出し、ここに字幕データを多重化して挿入した後、再記録しなければならない煩わしさがある。
【発明の開示】
【発明が解決しようとする課題】
【０００５】
したがって、本発明の目的は、マルチメディアを構成する各種のデータの交替及び修正が容易になるように別のビットストリームで記録された情報貯蔵媒体、その記録装置、その記録方法を提供することである。
本発明の他の目的は、複数のビットストリームを同時に読出して再生可能な再生装置及びその再生方法を提供することである。
【課題を解決するための手段】
【０００６】
前記目的は、本発明により、オーディオデータ及び／またはビデオデータを含むメインデータと、前記メインデータと別のビットストリームで記録され、前記メインデータに同期して再生されるためのサブデータと、前記メインデータと前記サブデータとが同期して再生されるための相関関係を定義するナビゲーション情報を含むことを特徴とする情報貯蔵媒体により達成される。
【０００７】
前記情報貯蔵媒体は前記メインデータ及びサブデータと別のビットストリームで記録され、前記メインデータと関連付けて再生するための他のデータをさらに含み、
前記ナビゲーション情報は前記メインデータと前記他のデータとを関連付けて再生するように定義された相関関係をさらに含むことが望ましい。
前記メインデータ、サブデータ及び／または他のデータはデジタルインターフェースを通じて入力されて記録されることが望ましい。
【０００８】
一方、本発明の他の分野によれば、前記目的は、（ａ） オーディオデータ及び／またはビデオデータを含むメインデータを記録する段階と、（ｂ） 前記メインデータと同期されて再生するためのサブデータを前記メインデータと別のビットストリームで記録する段階と、（ｃ） 前記メインデータと前記サブデータとが同期して再生されるための相関関係を定義するナビゲーション情報を記録する段階とを含むことを特徴とする記録方法いよっても達成される。
【０００９】
前記記録方法は、（ｄ） 前記メインデータと関連付けて再生するための他のデータを前記メインデータ及びサブデータと別のビットストリームで記録する段階と、（ｅ） 前記メインデータと前記他のデータと関連付けて再生するための相関関係を定義するナビゲーション情報を記録する段階とをさらに含める。
【００１０】
前記（ａ）段階は、（ａ１） デジタルインターフェースを通じて前記メインデータを受信する段階と、（ａ２） 受信されたメインデータを記録する段階とを含み、前記（ｂ）段階は、（ｂ１） 前記デジタルインターフェースを通じて前記サブデータを受信する段階と、（ｂ２） 受信されたサブデータを記録する段階とを含むことが望ましい。
前記（ｃ）段階は、（ｃ１） 前記デジタルインターフェースを通じて前記他のデータを受信する段階と、（ｃ２） 受信された他のデータを記録する段階とを含むことが望ましい。
【００１１】
一方、本発明の他の分野によれば、前記目的は、（ａ） オーディオデータ及び／またはビデオデータを含むメインデータを読出す段階と、（ｂ） 前記メインデータと別のビットストリームで記録され、前記メインデータと同期されて再生されるためのサブデータとを読出す段階と、（ｃ） 読出されたメインデータ及びサブデータを多重化する段階とを含むことを特徴とする再生方法によっても達成される。
【００１２】
前記再生方法は、（ｄ１） 多重化されたメインデータ及びサブデータをデジタルインターフェースを通じて出力する段階をさらに含むか、あるいは（ｄ２） 多重化されたメインデータ及びサブデータをデコーデュイングする段階をさらに含める。
前記（ｃ）段階は、（ｃ１） 読出されたメインデータとサブデータが同期して再生されるための相関関係を定義するナビゲーション情報を読出す段階と、（ｃ２） 読出されたメインデータとサブデータを前記ナビゲーション情報に基づいて多重化する段階とを含むことが望ましい。
【００１３】
前記目的は、（ａ） オーディオデータ及び／またはビデオデータを含むメインデータを読出す段階と、（ｂ） 前記メインデータと別のビットストリームで記録されて前記メインデータと同期されて再生されるためのサブデータを読出す段階と、（ｃ） 前記メインデータ及びサブデータと別のビットストリームで記録され、前記メインデータと関連付けて再生されるための他のデータを読出す段階と、（ｄ） 読出されたメインデータ、サブデータ、及び他のデータを多重化する段階とを含むことを特徴とする再生方法によっても達成される。
【００１４】
前記再生方法は、（ｅ１） 多重化されたメインデータ、サブデータ、及び他のデータをデジタルインターフェースを通じて出力する段階をさらに含むか、あるいは（ｅ２） 多重化されたメインデータ、サブデータ、及び他のデータをデコーデュイングする段階をさらに含める。
前記（ｄ）段階は、（ｄ１） 読出されたメインデータとサブデータとが同期されて再生されるように、そして読出されたメインデータと他のデータとを関連付けて再生するための相関関係を定義するナビゲーション情報を読出す段階と、（ｄ２） 読出されたメインデータ、サブデータ、及び他のデータを前記ナビゲーション情報に基づいて多重化する段階とを含むことが望ましい。
【００１５】
また、前記目的は、（ａ） オーディオデータ及び／またはビデオデータを含むメインデータと別のビットストリームで記録され、前記メインデータと同期されて再生されるためのサブデータを読出す段階と、（ｂ） 前記メインデータ及びサブデータと別のビットストリームで記録され、前記メインデータと関連付けて再生するための他のデータを読出す段階と、（ｃ） 読出されたサブデータと他のデータとを多重化する段階とを含むことを特徴とする再生方法によっても達成される。
【００１６】
前記再生方法は、（ｄ１） 多重化されたメインデータ及び他のデータをデジタルインターフェースを通じて出力する段階をさらに含むか、（ｄ２） 多重化されたメインデータ及び他のデータをデコーデュイングする段階をさらに含むことが望ましい。
前記（ｃ）段階は、（ｃ１） 前記サブデータと他のデータとを関連付けて再生されるように定義したナビゲーション情報を読出す段階と、（ｃ２） 読出されたサブデータ及び他のデータを前記ナビゲーション情報に基づいて多重化する段階とを含むことが望ましい。
【００１７】
一方、本発明の他の分野によれば、前記目的は、オーディオデータ及び／またはビデオデータを含むメインデータを記録し、前記メインデータと同期して再生するためのサブデータを前記メインデータと別のビットストリームで記録し、前記メインデータと前記サブデータと同期して再生されるための相関関係を定義するナビゲーション情報を記録する記録部と、前記ナビゲーション情報を生成して前記記録部へ提供する制御部を含むことを特徴とする記録装置によっても達成される。
【００１８】
前記記録部は、前記メインデータと関連付けて再生するための他のデータを前記メインデータ及びサブデータと別のビットストリームに記録し、前記メインデータと前記他のデータとを関連付けて再生するための相関関係を定義するナビゲーション情報をさらに記録し、前記制御部は前記メインデータと前記他のデータとの相関関係を定義するナビゲーション情報を生成して前記記録部へ提供することが望ましい。
【００１９】
前記記録装置は、前記メインデータ及び／またはサブデータを受信するためのデジタルインターフェースをさらに含み、
前記デジタルインターフェースは前記他のデータを受信し、前記記録部は受信された他のデータを記録し、前記他のデータに関するナビゲーションデータを記録することがさらに望ましい。
また、前記記録装置は、前記メインデータ及び／またはサブデータを入力されてエンコーディングするためのエンコーダをさらに含むことが特に望ましい。
【００２０】
また、本発明の他の分野によれば、前記目的は、オーディオデータ及び／またはビデオデータを含むメインデータを読出し、前記メインデータと別のビットストリームで記録され、前記メインデータと同期して再生するためのサブデータを読出す読出部と、前記読出部により読出されたメインデータ及びサブデータを多重化する多重化部を含むことを特徴とする再生装置によっても達成される。
【００２１】
前記再生装置は多重化されたメインデータ及びサブデータを出力するデジタルインターフェースをさらに含み、多重化されたメインデータ及びサブデータをデコーデュイングするデコーダをさらに含むことが望ましい。
前記読出部は、読出されたメインデータとサブデータとを同期して再生するための相関関係を定義するナビゲーション情報を読出し、前記多重化部は読出されたメインデータとサブデータとを前記ナビゲーション情報に基づいて多重化することがさらに望ましい。
【００２２】
また、前記目的は、オーディオデータ及び／またはビデオデータを含むメインデータを読出し、前記メインデータと別のビットストリームで記録され、前記メインデータと同期して再生するためのサブデータを読出し、前記メインデータ及びサブデータと別のビットストリームで記録され、前記メインデータと関連付けて再生するための他のデータを読出す読出部と、前記読出部により読出されたメインデータ、サブデータ、及び他のデータを多重化する多重化部を含むことを特徴とする再生装置によっても達成される。
【００２３】
前記再生装置は、多重化されたメインデータ、サブデータ、及び他のデータを出力するデジタルインターフェースをさらに含み、多重化されたメインデータ、サブデータ、及び他のデータをデコーデュイングするデコーダをさらに含むことが望ましい。
前記読出部は、読出されたメインデータとサブデータとが同期して再生されるように、そして読出されたメインデータと他のデータとを関連付けて再生されるように相関関係を定義するナビゲーション情報を読出し、前記多重化部は読出されたメインデータ、サブデータ、及び他のデータを前記ナビゲーション情報に基づいて多重化することがさらに望ましい。
【００２４】
また、前記目的は、オーディオデータ及び／またはビデオデータを含むメインデータと別のビットストリームで記録され、前記メインデータと同期して再生されるためのサブデータを読出し、前記メインデータ及びサブデータと別のビットストリームで記録され、前記メインデータと関連付けて再生されるための他のデータを読出す読出部と、前記読出部により読出されたサブデータと他のデータとを多重化する多重化部を含むことを特徴とする再生装置によっても達成される。
【００２５】
前記再生装置は、多重化されたメインデータ及び他のデータを出力するためのデジタルインターフェースをさらに含み多重化されたメインデータ及び他のデータをデコーデュイングするデコーダをさらに含むことが望ましい。
前記読出部は、前記サブデータと他のデータとを関連付けて再生可能に定義されたナビゲーション情報を読出し、前記多重化部は読出されたサブデータ及び他のデータを前記ナビゲーション情報に基づいて多重化することがさらに望ましい。
【発明を実施するための最良の形態】
【００２６】
以下、添付した図面に基づいて本発明の望ましい実施形態について詳細に説明する。
図１は本発明の望ましい実施形態に係る光ディスクに記録されたデータの一例である。
図１を参照すれば、光ディスクにはメインデータ、サブデータ、及び他のデータが各々別のビットストリームで記録されている。ここで、サブデータ及び他のデータは所定メインデータに対応するように備えられる。しかし、あらゆるメインデータが常に対応するサブデータ及び／または対応する他のデータを有する必要はない。
【００２７】
メインデータは単独で再生が可能なデータを意味する。メインデータは、例えばビデオデータ及びオーディオデータが結合された映画を挙げられる。サブデータはメインデータに付加される付加データであって、メインデータを基準に同期を合せて再生される構成要素を含む。例えば、ＤＶＤ（Ｄｉｇｉｔａｌ Ｖｅｒｓａｔｉｌｅ Ｄｉｓｃ）においてビデオと共に再生される字幕用サブピクチャー（ｓｕｂ−ｐｉｃｔｕｒｅ）データを挙げられる。他のデータは映画の一場面と関連したインターネットリンク、映画台本、映画の一場面に出演した俳優の履歴、ボーナスクリップ等メインデータと関連した情報の一切を表示するための付加データである。他のデータはメインデータを基準として同期を合せて再生されるが、サブデータのようにメインデータに厳密に同期して再生される必要はない。かかる意味で、サブデータはｓｙｎｃｈｒｏｎｉｚｅｄ ｄａｔａ、他のデータはｓｙｎｃｈｒｏｎｏｕｓ ｄａｔａと区分されうる。
【００２８】
メインデータに対応するサブデータ及び／または他のデータはメインデータと同時に記録されたり、時差をおいて記録されうる。同時に記録する場合、記録部に備えられたピックアップ装置は、メインデータ、対応サブデータ及び／または他のデータを交互に記録する方法による。
【００２９】
一方、サブデータ及び／または他のデータは、通常、対応するメインデータと同期して再生されるが、必要に応じて対応するメインデータと別に独立して再生されうる。例えば、メインデータの映画に対してサブデータに記録されたサウンドトラックのみを再生するか、あるいは他のデータに記録された映画台本を出力する場合がこれに該当する。
【００３０】
図２は図１のメインデータ、サブデータ、及び他のデータとの相関関係を示すナビゲーション情報の構造図である。ナビゲーション情報は貯蔵されたマルチメディアコンテンツを容易に探索及び制御するための制御情報を意味し、必ずしもＤＶＤのみに限定されることではない。
【００３１】
図２を参照すれば、メインデータは少なくとも１つのサブデータ及び／または他のデータと相関されている。上から順次に最初のメインデータは付加データとして１つのサブデータ及び他のデータを有し、次のメインデータは付加データとしてサブデータのみを有する。次のメインデータは付加データとして他のデータを有する。
より具体的に、ナビゲーションデータは対応するビットストリームの識別子及び付加データの対応メインデータに対する再生時間情報を含む。
【００３２】
図３は本発明の望ましい実施形態に係る記録装置のブロック図である。
記録装置は、ＤＶＤのような光ディスクの製造段階で製造業者により使われるか、あるいは一般の使用者により所望のマルチメディアコンテンツを記録するために使われる装置である。
【００３３】
図３を参照すれば、記録装置は、制御部３１、記録部３２、デジタルインターフェース３４、及びエンコーダ３５を具備する。ここで、デジタルインターフェース３４は、外部からデジタル信号を受信するためのものであって、例えばネットワークを通じてマルチメディアデータのメインデータ（及び付加データ）を受信するためのものである。エンコーダ３５はエンコーディングされないメインデータまたは付加データを受信するためのものであって受信されたメインデータまたは付加データをエンコーディングして記録部３２に伝達する。記録装置は必要に応じてデジタルインターフェース３４またはエンコーダ３５だけを具備しうる。
【００３４】
記録部３２は、デジタルインターフェース３４またはエンコーダ３５から入力されたメインデータを光ディスク３００に記録し、前記メインデータの付加データとしてのサブデータ及び／または他のデータを各々前記メインデータと別のビットストリームで光ディスク３００に記録する。
【００３５】
制御部３１は、前記メインデータと前記サブデータ及び／または他のデータとの相関関係を定義するナビゲーション情報を生成して記録部３２に伝達し、記録部３２は伝達されたナビゲーション情報を光ディスク３００の所定領域に記録する。記録時に記録部３２は、制御部３１の制御信号に基づいてピックアップ部（図示せず）を通じて光ディスク３００にレーザービームを照射する。
【００３６】
特に、各データは追って再生装置を通じて読出されて再生時に正常に再生されるように一定の大きさの隣接領域（ＣＤＡ：Ｃｏｎｔｉｇｕｏｕｓ Ｄａｔａ Ａｒｅａ）を形成するように記録する。すなわち、再生装置に備えられたピックアップ装置の光ヘッダが所定距離以上に大きく動くことによってデータの連続した読出が一時中断されてもデコーダにデータを連続して供給可能に記録されることを意味する。
【００３７】
図４は、本発明の望ましい実施形態に係る再生装置のブロック図である。
再生装置は一般の使用者により所望のマルチメディアコンテンツを再生するために使われる装置である。
図４を参照すれば、再生装置は、制御部４１、読出部４２、マルチプレクサ４３、デジタルインターフェース４４、及びデコーダ４６を具備する。ここで、デジタルインターフェース４４は外部にデジタル信号を伝達するためのものであって、ネットワークを通じてマルチメディアデータのメインデータ（及び付加データ）を送信する場合がこれに該当する。デコーダ４６は、エンコーディングされて記録されたメインデータまたは付加データをデコーデュイングするためのものであって、読出部４２から入力されたメインデータまたは付加データをデコーデュイングして再生装置、例えばスピーカーまたはモニタ（図示せず）に出力する。再生装置は必要に応じてデジタルインターフェース４４またはデコーダ４５だけを具備しうる。
【００３８】
読出部４２は、制御部４１の制御信号に基づいてピックアップ装置を通じて光ディスク３００にレーザービームを照射し、戻ってきたレーザービームを電気信号に変換する過程を通じて記録されたデータを読出す。読出部４２はメインデータと、これに付加された付加データとしてサブデータ及び／または他のデータを同時に読出してマルチプレクサ４３に伝達する。読出されるビットストリームの組合わせは（メインデータ＋サブデータ＋他のデータ）、（メインデータ＋サブデータ）、（メインデータ＋他のデータ）、（サブデータ＋他のデータ）などを含む。同時に２つ以上のビットストリームを読出す場合、読出部４２に備えられたピックアップ装置は対象ビットストリームから交互にデータを読出す。読出部４２はバッファリング機能を具備することによってデータの再生時、ピックアップ装置の光ヘッダが所定距離以上に大きく動くことでデータの連続した読出が一時中断されてもデコーダ４６に連続してデータを供給しうる。
【００３９】
マルチプレクサ４３は多重化部であって、別に入力されたメインデータ及び／またはサブデータ及び／または他のデータをナビゲーション情報に基づいて多重化する。また、マルチプレクサ４３はメインデータの構成要素のうち何れか１つを別に入力されたサブデータ及び／または他のデータに置換える。たとえば、メインデータがビデオデータ、オーディオデータ、及び字幕データが多重化されたビデオタイトルである場合にオーディオデータ及び／または字幕データを対応サブデータに置換える。マルチプレクサ４３を通じて出力された多重化されたビットストリームはデジタルインターフェース４４を通じて外部に伝えられたり、デコーダ４６を通じてデコーディングされる。
【００４０】
図５は本発明の望ましい実施形態に係る記録再生装置のブロック図である。
記録再生装置は一般の使用者により所望のマルチメディアコンテンツを記録または再生するために使われる装置である。
図５を参照すれば、記録再生装置は、制御部５１、記録／読出部５２、マルチプレクサ５３、デジタルインターフェース５４、エンコーダ５５、及びデコーダ５６を具備する。ここで、デジタルインターフェース５４は外部からデジタル信号を受信したり、外部にデジタル信号を送信するためのものであって、ネットワークを通じてマルチメディアデータのメインデータ（及び付加データ）を送受信する場合がこれに該当する。エンコーダ５５は、エンコーディングされていないメインデータまたは付加データを受信するためのものであって、受信されたメインデータまたは付加データをエンコーディングして記録／読出部５２に伝達する。記録装置は、必要に応じてデジタルインターフェース５４のみを具備したり、エンコーダ５５及びデコーダ５６のみを具備しうる。
【００４１】
ここで、マルチプレクサ５３、エンコーダ５５、及びデコーダ５６は図３または図４を参照して説明した記録装置または再生装置のそれと同一な機能を有する。また、記録／読出部５２は、図３または図４を参照して説明した記録装置の記録部３２及び再生装置の読出部４２の機能を全て具備し、同様に制御部５１も記録または再生のための記録装置の制御部３１または再生装置の制御部４１の機能を全て具備している。これにより、反復する説明は略す。
前記のような構成によって本発明の望ましい実施形態に係る記録方法及び再生方法を説明すれば次の通りである。
【００４２】
図６は、本発明の一実施形態に係る記録方法を説明するためのフローチャートである。図６の記録方法は、光ディスク製造業者によりマルチメディアコンテンツが記録された光ディスクを製造する場合の記録方法を意味する。
図６を参照すれば、記録装置のデジタルインターフェース３４またはエンコーダ３５からメインデータが入力されると、記録部３２は光ディスクにメインデータを記録する（６０１段階）。また、メインデータが記録された領域と別の領域にメインデータと同期して再生されるためのサブデータを記録する（６０２段階）。次いで、メインデータとサブデータとの相関関係を定義するナビゲーション情報を光ディスクに記録する（６０３段階）。
ここで、メインデータとサブデータは交互に同時に記録されるか、あるいは所定の順序通り記録されうる。
【００４３】
図７は本発明の他の実施形態に係る記録方法を説明するためのフローチャートである。
図７の記録方法は、光ディスク製造業者によりマルチメディアコンテンツが記録された光ディスクを製造する場合の記録方法を意味する。
図７を参照すれば、記録装置のデジタルインターフェース３４またはエンコーダ３５からメインデータが入力されれば記録部３２はメインデータを記録する（７０１段階）。また、メインデータが記録された領域と別の領域にメインデータと同期して再生されるためのサブデータを記録する（７０２段階）。次いで、メインデータ及びサブデータが記録された領域と別の領域に他のデータを記録する（７０３段階）。次いで、メインデータ、サブデータ及び他のデータの相関関係を定義するナビゲーション情報を記録する（７０４段階）。
ここで、メインデータ、サブデータ、及び他のデータは交互に同時に記録されるか、あるいは所定の順序通り記録されうる。
【００４４】
図８は本発明の一実施形態に係る再生方法を説明するためのフローチャートである。
図８を参照すれば、再生装置または記録再生装置の読出部４２、５２は光ディスクからメインデータを読出す（８０１段階）。また、メインデータが記録された領域と別の領域からサブデータを読出す（８０２段階）。マルチプレクサ４３、５３は読出されたメインデータ及びサブデータを多重化する（８０３段階）。この時、必要なナビゲーション情報は読出部４２、５２により読出されて制御部４１、５１から伝えられ、制御部４１、５１により解釈されてマルチプレクサ４３、５３に伝えられたり、読出部４２、５２により読出されて直接マルチプレクサ４３、５３に伝えられる。
【００４５】
多重化されたメインデータ及びサブデータはデジタルインターフェース４４、５４に出力されたり（８０４段階）、デコーダ４６、５６に伝えられてデコーデュイングされる（８０５段階）。デコーデュイングされたメインデータ及びサブデータは再生装置（スピーカ、モニタ、プリンタ等）に伝えられて再生される。
【００４６】
図９は本発明の他の実施形態に係る再生方法を説明するためのフローチャートである。
図９を参照すれば、再生装置または記録再生装置の読出部４２、５２は光ディスクからメインデータを読出す（９０１段階）。また、メインデータが記録された領域と別の領域からサブデータを読出す（９０２段階）。さらに、メインデータ及びサブデータが記録された領域と別の領域から他のデータを読出す（９０３段階）。マルチプレクサ４３、５３は読出されたメインデータ、サブデータ、及び他のデータを多重化する（９０４段階）。この際、必要なナビゲーション情報は読出部４２、５２により読出されて制御部４１、５１から伝えられ、制御部４１、５１により解釈されてマルチプレクサ４３、５３に伝えられたり、読出部４２、５２により読出されて直接マルチプレクサ４３、５３に伝えられる。
【００４７】
多重化されたメインデータ、サブデータ、及び他のデータはデジタルインターフェース４４、５４に出力されたり（９０５段階）、デコーダ４６、５６に伝えられてデコーデュイングされる（９０６段階）。デコーデュイングされたメインデータ、サブデータ及び他のデータは再生装置（スピーカ、モニタ、プリンタ等）に伝えられて再生される。
【００４８】
図１０は本発明のさらに他の実施形態に係る再生方法を説明するためのフローチャートである。
図１０を参照すれば、再生装置または記録再生装置の読出部４２、５２は光ディスクからサブデータを読出す（１００１段階）。また、サブデータが記録された領域と別の領域から他のデータを読出す（１００２段階）。マルチプレクサ４３、５３は読出されたサブデータ、及び他のデータを多重化する（１００３段階）。この際、必要なナビゲーション情報は読出部４２、５２により読出されて制御部４１、５１から伝えられて制御部４１、５１により解釈されてマルチプレクサ４３、５３に伝えられたり、読出部４２、５２により読出されて直接マルチプレクサ４３、５３に伝えられる。
【００４９】
多重化されたサブデータ、及び他のデータはデジタルインターフェース４４、５４に出力されたり（１００４段階）、デコーダ４６、５６に伝えられてデコーデュイングされる（１００５段階）。デコーデュイングされたサブデータ及び他のデータは再生装置（スピーカ、モニタ、プリンタ等）に伝えられて再生される。
【００５０】
〔発明の効果〕
以上説明したように、本発明によれば、マルチメディアを構成する各種データを交替及び修正しやすく別のビットストリームで記録された情報貯蔵媒体、その記録装置、その記録方法が提供される。さらに、複数のビットストリームを同時に読出して再生可能な再生装置及びその再生方法が提供される。
【００５１】
今後マルチメディアサービスは使用者の多様な欲求を充足するために多様な形に発展すると予想される。マルチメディアサービス提供者もネットワークを通じて多様なマルチメディアコンテンツを提供するはずである。本発明によれば、使用者はマルチメディアサービス提供者から多様なマルチメディアコンテンツを受信し、自分の必要に応じてマルチメディアコンテンツを構成する各種のデータの入替え／編集が可能となる。
【図面の簡単な説明】
【００５２】
【図１】本発明の望ましい実施形態に係る光ディスクに記録されたデータの一例を示す図面である。
【図２】図１のメインデータ、サブデータ、及び他のデータ間の相関関係を示すナビゲーション情報の構造を示す参考図である。
【図３】本発明の望ましい実施形態に係る記録装置のブロック図である。
【図４】本発明の望ましい実施形態に係る再生装置のブロック図である。
【図５】本発明の望ましい実施形態に係る記録再生装置のブロック図である。
【図６】本発明の一実施形態に係る記録方法を説明するためのフローチャートである。
【図７】本発明の他の実施形態に係る記録方法を説明するためのフローチャートである。
【図８】本発明の一実施形態に係る再生方法を説明するためのフローチャートである。
【図９】本発明の他の実施形態に係る再生方法を説明するためのフローチャートである。
【図１０】本発明のさらに他の実施形態に係る再生方法を説明するためのフローチャートである。
【符号の説明】
【００５３】
３１、４１、５１  制御部
３２  記録部
３４、４４、５４  デジタルインターフェース
３５、５５  エンコーダ
４２  読出部
４３  マルチプレクサ
４６、５６  デコーダ
【図１】
2006244700.tif 000003
【図２】
2006244700.tif 000004
【図３】
2006244700.tif 000005
【図４】
2006244700.tif 000006
【図５】
2006244700.tif 000007
【図６】
2006244700.tif 000008
【図７】
2006244700.tif 000009
【図８】
2006244700.tif 000010
【図９】
2006244700.tif 000011
【図１０】
2006244700.tif 000012